(57)【要約】【課題】特定の波長の光をカットする接眼レンズを提供する。【解決手段】本発明による接眼レンズは、物体側より順に、正の屈折力を持つ第１レンズ群（１０１１）、特定の波長の光を遮断するフィルター（１０３１）、正の屈折力を持つ第２レンズ群（１０５１）より構成される。本発明による接眼レンズは、第１レンズ群の焦点距離をＦ１、第２レンズ群の焦点距離をＦ２、全系の焦点距離をＦｅとした時に、          （１）３．０  ＜Ｆ１/Ｆｅ＜  ９．０          （２）１．０  ＜Ｆ２/Ｆｅ＜  ２．０を満たすことを特徴とする。【選択図】図４
2008070816.tif 000002
【特許請求の範囲】
【請求項１】
物体側より順に、
正の屈折力を持つ第１レンズ群、
特定の波長の光を遮断するフィルター、
正の屈折力を持つ第２レンズ群
より構成され、前記第１レンズ群の焦点距離をＦ１、前記第２レンズ群の焦点距離をＦ２、全系の焦点距離をＦｅとした時に、
３．０  ＜Ｆ１/Ｆｅ＜  ９．０
１．０  ＜Ｆ２/Ｆｅ＜  ２．０
を満たすことを特徴とする接眼レンズ。
【請求項２】
物体側より順に、
正の屈折力を持つ第１レンズ群、
特定の波長の光を遮断するフィルター、
正の屈折力を持つ第２レンズ群
より構成され、前記フィルターへの光束の入射角度が１０度以内であるように構成したことを特徴とする接眼レンズ。
【請求項３】
前記第１レンズ群は、正のレンズと負のレンズからなる接合レンズを含むことを特徴とする請求項１または２に記載の接眼レンズ。
【請求項４】
前記第２レンズ群は、少なくとも１枚の正のレンズを含むことを特徴とする請求項１から３のいずれかに記載の接眼レンズ。
【請求項５】
前記特定の波長の光が水銀灯の光であることを特徴とする請求項１から４のいずれかに記載の接眼レンズ。
【請求項６】
前記特定の波長の光がナトリウム灯の光であることを特徴とする請求項１から４のいずれかに記載の接眼レンズ。
【請求項７】
請求項１から６のいずれかに記載の接眼レンズを備えたことを特徴とする望遠鏡。
【発明の詳細な説明】
【技術分野】
【０００１】
本発明は、接眼レンズおよび当該接眼レンズを使用する、双眼鏡などの望遠鏡に関するものである。
【背景技術】
【０００２】
近年、双眼鏡などを使用して夜景を鑑賞することや、天文観察を行うことがよく行われている。このような場合に、水銀灯やナトリウム灯の光が迷光となり、夜景鑑賞や天文観察の障害となることが多い。
【０００３】
従来、紫外線カットフィルターを備えた望遠鏡は開発されていた(たとえば、特許文献１)。また、水銀灯やナトリウム灯の光を除去するフィルターは開発されていたが、当該フィルターを接眼レンズに組み込み、水銀灯やナトリウム灯の光を除去する接眼レンズは開発されていなかった。
【０００４】
【特許文献１】特開2005-121723号公報
【発明の開示】
【発明が解決しようとする課題】
【０００５】
上記の背景の下に、水銀灯やナトリウム灯の光などの特定の波長の光を除去するフィルターを接眼レンズに組み込み、水銀灯やナトリウム灯の光などの特定の波長の光をカットする接眼レンズや当該接眼レンズを使用する望遠鏡に対するニーズがある。
【課題を解決するための手段】
【０００６】
本発明による接眼レンズは、物体側より順に、正の屈折力を持つ第１レンズ群、特定の波長の光を遮断するフィルター、正の屈折力を持つ第２レンズ群より構成される。本発明による接眼レンズは、前記第１レンズ群の焦点距離をＦ１、前記第２レンズ群の焦点距離をＦ２、全系の焦点距離をＦｅとした時に、
（１）３．０  ＜Ｆ１/Ｆｅ＜  ９．０
（２）１．０  ＜Ｆ２/Ｆｅ＜  ２．０
を満たすことを特徴とする。
【０００７】
焦点距離を上記のように定めることによって、フィルターを通過する光束を光軸とほぼ平行にすることができると同時に、良好な光学性能を達成することができる。
【０００８】
条件式（１）の範囲外では、フィルターへの光束の入射角が増大し、ファイルターの性能を十分に発揮させることが出来なくなることに加えて、下限値未満であると、レンズ全系の焦点距離に比べて、第１レンズ群の焦点距離が短くなり、非点収差が大きく発生し補正が困難となる。
【０００９】
また、条件式（２）の範囲外では、条件式（１）の場合と同様、フィルターへの光束の入射角が増大し、ファイルターの性能を十分に発揮させることが出来なくなることに加えて、上限を超えるとコマ収差のバランスが崩れ補正が困難となり、下限値未満であると、レンズ全系の焦点距離に比べて、第２レンズ群の焦点距離が短くなり、急激に光線を曲げることになるので、非点収差が増大し、補正が困難となる。
【００１０】
以上の説明のように、良好な収差補正を達成しつつフィルターを通過する光束を光軸とほぼ平行にすることによって、フィルターの機能が維持される。したがって、夜景鑑賞や天文観察の障害となる、水銀灯やナトリウム灯の光による迷光を選択的に除去することのできる接眼レンズが得られる。
【００１１】
本発明による接眼レンズは、物体側より順に、正の屈折力を持つ第１レンズ群、特定の波長の光を遮断するフィルター、正の屈折力を持つ第２レンズ群より構成される。本発明による接眼レンズは、前記フィルターへの光束の入射角度が１０度以内であるように構成したことを特徴とする。
【００１２】
フィルターを通過する光束を光軸とほぼ平行にすることによって、フィルターの機能が維持される。したがって、夜景鑑賞や天文観察の障害となる、水銀灯やナトリウム灯の光による迷光を選択的に除去することのできる接眼レンズが得られる。
【００１３】
本願発明の接眼レンズ系は、ＥＰをアイレリーフ（単位ｍｍ、最も目側のレンズ面の頂点からアイポイントまでの距離）としたとき、条件式
（３）０．５  ＜ＥＰ/Ｆ２＜  ０．８
を満たすことが好ましい。条件式（３）は更なる良好な収差補正を担保するためのものである。条件式（３）の範囲外では、コマ収差や非点収差のバランスが崩れ補正が困難になるとともに、条件式（１）、（２）の場合と同様に、フィルターへの光束の入射角が適切な値に保てなくなる。
【発明の効果】
【００１４】
本発明によれば、水銀灯やナトリウム灯の光などの特定の波長の光を除去するフィルターを接眼レンズに組み込み、水銀灯やナトリウム灯の光などの特定の波長の光による迷光をカットする接眼レンズや当該接眼レンズを使用する望遠鏡が得られる。
【発明を実施するための最良の形態】
【００１５】
図１は、水銀灯およびナトリウム灯の光を除去するフィルターの特性の一例を示す図である。水銀灯の輝線は、４０４．７、４３５．８、５４６．１、５７７．０、５７９．１、６２３．４ナノメータである。ナトリウム灯の輝線は、５８９．０、５８９．６ナノメータである。図１に示されるように、フィルターによって、水銀灯の輝線およびナトリウム灯の輝線は除去される。
【００１６】
図２は、図１に示したフィルターの特性の、入射角依存性を示す図である。図１に示したフィルターの特性は、入射角が０度の場合であり、入射角が増加するにしたがって、フィルターの特性が変化する。具体的には、フィルターの波長パターンが短波長へシフトする。水銀灯およびナトリウム灯の光を除去するフィルターの機能を維持するには、入射角は、１０度以内とするのが好ましい。
【００１７】
図３は、人間の目の標準比視感度曲線を示す図である。実線は、明所視の比視感度曲線を示し、破線は、暗所視の比視感度曲線を示す。暗所視の場合には、５０７ナノメータの光を一番明るく感じる。したがって、上記の輝線の内、人間の目に最も強く影響するのは、５４６．１ナノメータの水銀灯の輝線である。
【００１８】
図４は、本発明の第１の実施形態による接眼レンズの構成および光路図を示す図である。接眼レンズは、第１の正のレンズ群１０１１、第２の正のレンズ群１０５１および両者の間に配置されたフィルター１０３１から構成される。中間像面２０１からの光は、第１の正のレンズ群１０１１、フィルター１０３１および第２の正のレンズ群１０５１を通過する。第１の正のレンズ群１０１１は、負レンズ１０１１ａおよび正レンズ１０１１ｂからなる接合レンズを含む。第２の正のレンズ群１０５１は、正レンズ１０５１ａおよび正レンズ１０５１ｂを含む。
【００１９】
フィルター１０３１を通過する光束は、ほぼ光軸に平行である。このように、フィルター１０３１への光束の入射角は、１０度以内である。したがって、水銀灯およびナトリウム灯の光を除去するフィルターの機能は維持される。
【００２０】
第１レンズ群の焦点距離をＦｒ、第２レンズ群の焦点距離をＦｌ、全系の焦点距離をＦｅとすると、
Ｆ１  ＝８５．９
Ｆ２  ＝１４．０
Ｆｅ  ＝１０．４
ＥＰ  ＝１０．８
Ｆ１/Ｆｅ  ＝８．３
Ｆ２/Ｆｅ  ＝１．３
ＥＰ/Ｆ２  ＝０．７７
となる。焦点距離の単位は、ミリメータである。
【００２１】
以下に、本第１の実施形態による接眼レンズの諸元を示す。Ｎｏ．は物体側からのレンズ面の番号、Ｒはレンズ面の曲率半径（ｍｍ）、ｄはレンズ面の光軸上空気間隔（ｍｍ）、ｎｄはｄ線に対する屈折率、νｄはアッベ数を表わす。
【００２２】
面番号１乃至３は第１レンズ群、面番号４乃至５はフィルター、面番号６乃至９は第２レンズ群である。なお、曲率半径０は、平面を表わす。
見かけ視界    ：５６°
アイレリーフ  ：１０．８ｍｍ
【表１】
2008070816.tif 000003
【００２３】
図５は、本発明の第２の実施形態による接眼レンズの構成および光路図を示す図である。接眼レンズは、第１の正のレンズ群１０１２、第２の正のレンズ群１０５２および両者の間に配置されたフィルター１０３２から構成される。中間像面２０１からの光は、第１の正のレンズ群１０１２、フィルター１０３２および第２の正のレンズ群１０５２通過する。第１の正のレンズ群１０１２は、負レンズ１０１２ａおよび正レンズ１０１２ｂからなる接合レンズを含む。第２の正のレンズ群１０５２は、正レンズ１０５１ａを含む。
【００２４】
フィルター１０３２を通過する光束は、ほぼ光軸に平行である。このように、フィルター１０３２への光束の入射角は、１０度以内である。したがって、水銀灯およびナトリウム灯の光を除去するフィルターの機能は維持される。
【００２５】
第１レンズ群の焦点距離をＦ1、第２レンズ群の焦点距離をＦ2、全系の焦点距離をＦｅとすると、
Ｆ１  ＝４７．５
Ｆ２  ＝２２．８
Ｆｅ  ＝１４．７
ＥＰ  ＝１４．１
Ｆ１/Ｆｅ  ＝３．２
Ｆ２/Ｆｅ  ＝１．６
ＥＰ/Ｆ２  ＝０．６２
となる。焦点距離の単位は、ミリメータである。
【００２６】
以下に、本第２の実施形態による接眼レンズの諸元を示す。Ｎｏ．、Ｒ、ｄ、ｎｄ、νｄは第１の実施形態のレンズ諸元と同一の内容を示す。
【００２７】
面番号１乃至３は第１レンズ群、面番号４乃至５はフィルター、面番号６乃至７は第２レンズ群である。
見かけ視界    ：５１．２°
アイレリーフ  ：１４．１ｍｍ
【表２】
2008070816.tif 000004
【００２８】
図６は、本発明の第３の実施形態による接眼レンズの構成および光路図を示す図である。接眼レンズは、第１の正のレンズ群１０１３、第２の正のレンズ群１０５３および両者の間に配置されたフィルター１０３３から構成される。中間像面２０１からの光は、第１の正のレンズ群１０１３、フィルター１０３３および第２の正のレンズ群１０５３を通過する。第１の正のレンズ群１０１３は、負レンズ１０１３ａおよび正レンズ１０１３ｂからなる第１の接合レンズと負レンズ１０１３ｃおよび正レンズ１０１３ｄからなる第２の接合レンズとを含む。第２の正のレンズ群１０５３は、正レンズ１０５３ａおよび正レンズ１０５３ｂを含む。
【００２９】
フィルター１０３３を通過する光束は、ほぼ光軸に平行である。このように、フィルター１０３３への光束の入射角は、１０度以内である。したがって、水銀灯およびナトリウム灯の光を除去するフィルターの機能は維持される。
【００３０】
第１レンズ群の焦点距離をＦ１、第２レンズ群の焦点距離をＦ２、全系の焦点距離をＦｅとすると、
Ｆ１  ＝７３．０
Ｆ２  ＝２８．７
Ｆｅ  ＝１９．３
ＥＰ  ＝１６．７
Ｆ１/Ｆｅ  ＝３．８
Ｆ２/Ｆｅ  ＝１．５
ＥＰ/Ｆ２  ＝０．５８
となる。焦点距離の単位は、ミリメータである。
【００３１】
以下に、本第３の実施形態による接眼レンズの諸元を示す。Ｎｏ．、Ｒ、ｄ、ｎｄ、νｄは第１の実施形態のレンズ諸元と同一の内容を示す。
【００３２】
面番号１乃至６は第１レンズ群、面番号７乃至８はフィルター、面番号９乃至１２は第２レンズ群である。
見かけ視界    ：６０．０°
アイレリーフ  ：１６．７ｍｍ
【表３】
2008070816.tif 000005
【００３３】
一般的に、第１の正のレンズ群および第２の正のレンズ群の間に配置される、フィルターを通過する光束を光軸とほぼ平行にするには、焦点距離の範囲を以下のように定めればよい。フィルターを通過する光束を光軸とほぼ平行にすることによって、フィルターの機能が維持される。
【００３４】
３．０  ＜Ｆ１/Ｆｅ＜  ９．０
１．０  ＜Ｆ２/Ｆｅ＜  ２．０
本発明によれば、夜景鑑賞や天文観察の障害となる、水銀灯やナトリウム灯の光などの特定の波長の光による迷光を選択的に除去することのできる接眼レンズが得られる。本発明による接眼レンズは、種々のタイプの対物レンズと組み合わせて使用することができるので、本発明による接眼レンズを使用すると、双眼鏡などの望遠鏡を設計する際の自由度が大きくなる。
【図面の簡単な説明】
【００３５】
【図１】水銀灯およびナトリウム灯の光を除去するフィルターの特性の一例を示す図である。
【図２】図１に示したフィルターの特性の、入射角依存性を示す図である。
【図３】人間の目の標準比視感度曲線を示す図である。
【図４】本発明の第１の実施形態による接眼レンズの構成および光路図を示す図である。
【図５】本発明の第２の実施形態による接眼レンズの構成および光路図を示す図である。
【図６】本発明の第３の実施形態による接眼レンズの構成および光路図を示す図である。
【符号の説明】
【００３６】
１０１１、１０１２、１０１３…第１の正のレンズ群、１０３１、１０３２、１０３３…フィルター、１０５１、１０５２、１０５３…第２の正のレンズ群
【図１】
2008070816.tif 000006
【図２】
2008070816.tif 000007
【図３】
2008070816.tif 000008
【図４】
2008070816.tif 000009
【図５】
2008070816.tif 000010
【図６】
2008070816.tif 000011